(57)【要約】【課題】実際に撮影した地点から著しく離れた地点を撮影した地点であると誤認するのを防止することができる画像表示装置および電子カメラを提供する。【解決手段】本発明の電子カメラ１は、測位データとその測位データにおける測位精度の情報とを有する、複数の画像ファイルの中から、所定の測位精度以上の画像ファイルを検索し、検索された画像ファイルの画像を表示モニタ１０４に表示する制御回路１０１を備える。【選択図】図２
2010021934.tif 000002
【特許請求の範囲】
【請求項１】
測位データとその測位データにおける測位精度の情報とを有する複数の画像ファイルの中から、所定の測位精度以上の画像ファイルを検索する画像ファイル検索手段と、
前記画像ファイル検索手段によって検索された画像ファイルの画像を表示器に表示する画像ファイル表示制御手段とを備えることを特徴とする画像表示装置。
【請求項２】
請求項１に記載の画像表示装置において、
前記画像ファイル表示制御手段は、前記測位精度の高い画像ファイルの画像から前記測位精度の低い画像ファイルの画像へ至る順序で並べて前記検索された画像ファイルの画像を表示することを特徴とする画像表示装置。
【請求項３】
請求項１または２に記載の画像表示装置において、
前記画像ファイル表示制御手段は、測位精度の高い画像ファイルの画像を測位精度の低い画像ファイルの画像に比べて大きく表示することを特徴とする画像表示装置。
【請求項４】
請求項１乃至３のいずれか１項に記載の画像表示装置において、
前記画像表示装置の現在位置を検出する現在位置検出手段を備え、
前記画像ファイル検索手段は、前記複数の画像ファイルの中から、前記現在位置検出手段によって検出された現在位置と一致する測位データ、または前記現在位置から所定距離内の測位データを有する画像ファイルを検索し、その検索された画像ファイルの中から前記所定の測位精度以上の画像ファイルを検索することを特徴とするが画像表示装置。
【請求項５】
請求項１に記載の画像表示装置において、
前記画像表示装置の現在位置を検出する現在位置検出手段を備え、
前記画像ファイル表示制御手段は、前記現在位置から測位データの位置までの距離を測位精度を表す値に乗算した値に応じて、前記画像ファイルの画像を並べて表示することを特徴とする画像表示装置。
【請求項６】
請求項５に記載の画像表示装置において、
前記画像ファイル検索手段は、前記複数の画像ファイルの中から、前記現在位置検出装置によって検出された現在位置と一致する測位データ、または前記現在位置から所定距離内の測位データを有する画像ファイルを検索し、その検索された画像ファイルの中から前記所定の測位精度以上の画像ファイルを検索することを特徴とするが画像表示装置。
【請求項７】
請求項１乃至６のいずれか１項に記載の画像表示装置において、
前記画像ファイル表示制御手段は、前記画像ファイルの画像を、前記画像ファイルにおける測位データの位置周辺の地図とともに表示することを特徴とする画像表示装置。
【請求項８】
請求項７に記載の画像表示装置において、
前記地図の縮尺を変更する地図縮尺変更手段を備え、
前記画像ファイル検索手段は、前記地図縮尺変更手段によって前記地図の縮尺が変更されると、変更された地図の縮尺に基づいて前記所定の測位精度を変更して検索し、
前記画像ファイル表示制御手段は、前記画像ファイル検索手段によって検索された画像ファイルの画像を、前記地図縮尺変更手段によって縮尺が変更された地図とともに表示することを特徴とする画像表示装置。
【請求項９】
請求項１乃至６のいずれか１項に記載の画像表示装置において、
前記画像ファイル表示制御手段は、前記画像ファイルの画像を、レーダーチャートとともに表示することを特徴とする画像表示装置。
【請求項１０】
請求項２に記載の画像表示装置において、
前記画像ファイル表示制御手段によって表示された画像の中から選択された画像を入力する画像入力手段と、
前記画像入力手段によって入力された画像の画像ファイルにおける測位データの位置周辺の地図を表示する地図表示制御手段とを備えることを特徴とする画像表示装置。
【請求項１１】
請求項１０に記載の画像表示装置において、
前記地図表示制御手段は、前記画像入力手段によって入力された画像の画像ファイルにおける測位精度に基づいて前記表示する地図の縮尺を決定することを特徴とする画像表示装置。
【請求項１２】
請求項１乃至１１のいずれか１項に記載の画像表示装置において、
前記測位精度を入力する測位精度入力手段を備え、
前記画像ファイル検索手段は、前記測定精度入力手段によって入力された測位精度を前記所定の測定精度として検索を行うことを特徴とする画像表示装置。
【請求項１３】
請求項１乃至１２のいずれか１項に記載の画像表示装置を備えることを特徴とする電子カメラ。
【発明の詳細な説明】
【技術分野】
【０００１】
本発明は、画像表示装置およびその画像表示装置を備えた電子カメラに関する。
【背景技術】
【０００２】
撮影した画像とともに、測位データとその測位データの精度に関する情報とを写真フィルムに記録するカメラが従来技術として知られている（たとえば、特許文献１参照）。
【特許文献１】特開平９−１２７５９４号公報
【発明の開示】
【発明が解決しようとする課題】
【０００３】
特許文献１に記載されたカメラは、ユーザが画像の撮影を行った場所などを、測位データを使用して後から検出することができるが、測位データの信頼性が低いと撮影した場所を誤って認識させる場合がある。
【課題を解決するための手段】
【０００４】
本発明の態様によると、画像表示装置は、測位データとその測位データにおける測位精度の情報とを有する複数の画像ファイルの中から、所定の測位精度以上の画像ファイルを検索する画像ファイル検索手段と、画像ファイル検索手段によって検索された画像ファイルの画像を表示器に表示する画像ファイル表示制御手段とを備える。
【発明の効果】
【０００５】
本発明によれば、所定の測位精度以上の画像ファイルのみを表示することができる。
【発明を実施するための最良の形態】
【０００６】
−第１の実施の形態−
以下、図を参照して本発明の第１の実施の形態による電子カメラを説明する。
【０００７】
図１は電子カメラ１を示す図である。図１（ａ）は、電子カメラ１を斜め前方から見た図であり、図１（ｂ）は、電子カメラ１を斜め後方から見た図である。図１（ａ）に示すように、電子カメラ１の正面には、撮影光学系（図２、符号１２１参照）のレンズ１２１ａと、被写体を照明する照明装置１１０とが設けられている。また、電子カメラ１は、ＧＰＳ（ Global Positioning System ）機器２と接続し、ＧＰＳ機器２から測位データやその測位データの精度に関する情報を取得することができる。電子カメラ１の上面には、レリーズスイッチ１０３ａが設けられている。
【０００８】
図１（ｂ）に示すように、電子カメラ１の背面には、液晶モニタ１０４と、操作ボタン１０３ｂ〜１０３ｇとが設けられている。
【０００９】
図２は、電子カメラ１の構成を説明するブロック図である。図２において電子カメラ１は、制御回路１０１と、メモリ１０２と、操作部１０３と、表示モニタ１０４と、スピーカ１０５と、外部インターフェイス（Ｉ／Ｆ）回路１０６と、メモリカードインターフェイス（Ｉ／Ｆ）１０７と、電源１０８と、測光装置１０９と、照明装置１１０と、地図データ記憶装置１１１と、ＧＰＳインターフェイス（Ｉ／Ｆ）回路１１２とを有している。電子カメラ１は、ＧＰＳインターフェイス回路１１２を介して、ＧＰＳ機器２と接続している。また、メモリカードインターフェイス１０７にはメモリカード１５０が実装される。
【００１０】
制御回路１０１は、制御プログラムに基づいて、電子カメラ内各部から出力される信号を用いて所定の演算を行う。制御回路１０１は、電子カメラ内各部に対して制御信号を送出することにより、電子カメラ１の撮影動作を制御する。なお、制御プログラムは制御回路１０１内の不図示のＲＯＭ（ Read Only Memory ）に格納される。
【００１１】
制御回路１０１は、電子カメラ内各部から取得した撮影条件の情報、ＧＰＳ機器から取得した測位データおよびその測位データの精度に関する情報、撮影した画像の画像データなどから画像ファイルを作成し、メモリ１５０などに記憶させる。この画像ファイルはＥｘｉｆ（ Exchangeable image file format ）画像ファイル規定にしたがって作成される。
【００１２】
図３を参照して画像ファイルの構造を説明する。画像ファイル３は、主画像データと、主画像データの付属情報が記載された複数のタグとから構成される。この複数のタグの中には、測位した位置が北緯であるか南緯であるかを記載するタグ３１、測位した位置の緯度を記載するタグ３２、測位した位置が東経であるか西経であるかを記載するタグ３３、測位した位置の経度を記載するタグ３４および測位の信頼性、つまり測位の精度を記載したタグ３５が含まれる。測位の精度は、ＤＯＰ（ Dilution of Precision ）値で表す。以下、タグ３１〜３４のデータを測位データと呼ぶ。測位データ３１〜３４は、通常、ユーザがその画像の撮影を行ったときのユーザの現在位置や撮影に使用した機器の現在位置のデータである。
【００１３】
ＤＯＰ値は、精度の劣化係数と呼ばれ、測位衛星の幾何学的配置によって精度が劣化する程度を示す指数である。測位衛星によって測位を行うときの理想的な衛星配置は、天頂の衛星と１２０°ずつ分散している周辺の３つの衛星で正三角錐の形状をなしている配置である。この配置のＤＯＰ値を１とする。それと比べて何倍精度が劣るかによって、２、３、４、・・・と指数で表す。つまり、ＤＯＰ値は大きくなるにしたがって、測位精度は低くなる。ＧＰＳ機器２において、ＤＯＰ値は４つの測位衛星で作られる三角錐の体積がＤＯＰ値１の場合に比べてどれだけ小さいかによって計算される。
【００１４】
図２のメモリ１０２は、制御回路１０１の作業用メモリとして使用される。操作部１０３は、レリーズボタン１０３ａ、操作ボタン１０３ｂ〜１０３ｇなどを含み、操作されたボタンに対応する操作信号を制御回路１０１へ送出する。メモリカードインターフェイス１０７は、制御回路１０１の指示によりメモリカード１５０へ画像ファイルを書き込んだりメモリカード１５０から画像ファイルを読み出したりする。メモリカード１５０は、メモリカードインターフェイス１０７に着脱可能な外部記録媒体である。
【００１５】
表示モニタ１０４は、制御回路１０１からの指示により画像ファイルの画像やテキストなどの情報を表示する。表示モニタ１０４には、１つの画像が大きく表示されたり、複数の縮小画像（サムネイル）が表示されたりする。スピーカ１０５は、制御回路１０１からの指示により音声を出力する。外部インターフェイス回路１０６は、制御回路１０１からの指示により不図示のケーブルを介して外部機器（パーソナルコンピュータ、プリンタなど）との間でコマンドおよびデータを送受信する。
【００１６】
電源１０８は、バッテリ、電源回路などを有し、電子カメラ１の各部に電力を供給する。測光装置１０９は、測光センサによって被写体の輝度を検出し、輝度情報を制御回路１０１へ送出する。制御回路１０１は輝度情報に基づき、シャッター速度や絞り値等の露出設定値を算出する。照明装置１１０は、撮影時に制御回路１０１から発光指示された場合に所定光量で、たとえば閃光発光し、被写体を照明する。照明光は電子カメラ前方へ射出される。
【００１７】
地図データ記憶装置１１１は、表示モニタ１０４に地図を表示するための地図データを記憶する。ＧＰＳインターフェイス回路１１２は、電子カメラ１をＧＰＳ機器２と接続するためのインターフェイスである。
【００１８】
撮像部１２０は、撮影光学系１２１、撮像素子１２２および撮像制御回路１２３を有し、制御回路１０１からの指示に応じて被写体の撮像を行う。撮影光学系１２１は、撮像素子１２２の撮像面上に被写体像を結像させる。撮像素子１２２としては、ＣＣＤ（ Charge Coupled Device ）撮像素子やＣＭＯＳ（ Complementary Metal Oxide Semiconductor ）撮像素子などが用いられる。撮像制御回路１２３は、制御回路１０１からの指示により撮像素子１２２を駆動制御するとともに、撮像素子１２２から出力される画像信号に対して所定の信号処理を行う。信号処理後の画像のデータは、上述のＥｘｉｆ画像ファイル規定の画像ファイルとしてメモリカード１５０に記録される。
【００１９】
ＧＰＳ機器２は、測位衛星から送信された電波の伝播時間および測位衛星の位置に基づいて、ＧＰＳ機器２の位置を計測する。正確な時計に同期して測位衛星から電波が送信されるので、ＧＰＳ機器２は、電波の受信時間から伝播時間を算出することができる。測位衛星から送信される電波には、測位衛星の軌道データが含まれており、ＧＰＳ機器２は、その軌道データから測位衛星の位置を算出することができる。また、ＧＰＳ機器２は上述のＤＯＰ値を算出する。
【００２０】
図４を参照して、本発明の第１の実施の形態における画像ファイルの画像表示方法を説明する。図４はメモリカード１５０に記憶された画像ファイルの画像を表示した表示モニタ１０４の表示画面を説明するための図である。図４に示すように、表示モニタ１０４には、ＤＯＰ値が所定値以下である画像ファイルの画像４１ａ〜４１ｄが縮小画像として並べて表示される。したがって、ＤＯＰ値が所定値より大きい画像ファイルの画像は表示されない。これらの画像４１ａ〜４１ｄの測位データの位置は、電子カメラ１に接続しているＧＰＳ機器２が測位している位置、つまり、電子カメラ１の現在位置とほぼ同じ位置である。
【００２１】
また、画像４１ａ〜４１ｄは左から右へ、そして上の段から下の段へ、ＤＯＰ値が小さいものから大きいものへ至る順序、つまり測位精度の高いものから低いものへ至る順序で表示される。これよりユーザは、画像４１ａの測位精度が最も高く（ＤＯＰ値が最も小さく）、画像４１ｂ、画像４１ｃ、画像４１ｄと進むにしたがって、測位精度は悪くなる（ＤＯＰ値が大きくなる）ことを認識できる。
【００２２】
図５のフローチャートを参照して、本発明の第１の実施の形態における画像ファイルの画像表示処理を説明する。図５の処理は、ユーザが操作ボタン１０３ｂ〜１０３ｇを操作して、ＤＯＰサムネイル表示の機能を選択するとスタートするプログラムにより制御回路１０１において実行される。ここで、ＤＯＰサムネイル表示とは、画像ファイルのＤＯＰ値に基づいて画像ファイルの画像を縮小画像として表示することをいう。
【００２３】
ステップＳ５０１では、ＧＰＳ機器２によって、現在位置を測位する。ステップＳ５０２では、現在位置を測位したときのＤＯＰ値をＧＰＳ機器２から取得する。ステップＳ５０３では、メモリカード１５０に記憶されている画像ファイルの中から測位データの位置が現在位置と同じ画像ファイルを検索する。ここで、現在位置と同じとは、所定の許容範囲で現在位置と測位データの位置とが同じであることをいう。
【００２４】
ステップＳ５０４では、ステップＳ５０３で検索した画像ファイルの中からＧＰＳ機器２から取得したＤＯＰ値以下のＤＯＰ値の画像ファイルを検索する。ステップＳ５０５では、ステップＳ５０４で検索した画像ファイルの縮小画像を作成する。ステップＳ５０６では、ＤＯＰ値の小さい画像ファイルの画像からＤＯＰ値の大きい画像ファイルの画像へ至る順序で、画像ファイルの画像の縮小画像を左から右へ、上段から下段へ、並べて表示する。
【００２５】
以上説明した第１の実施の形態によれば、次の作用効果が得られる。
（１）測位データ３１〜３４とその測位データにおける測位精度の情報３５とを有する、複数の画像ファイルの中から、所定の測位精度以上の画像ファイルを検索し、検索された画像ファイルの画像４１ａ〜４１ｄを表示モニタ１０４に表示するようにした。これにより、所定の測位精度以上の画像ファイルのみを表示することができる。
【００２６】
（２）測位精度の高い画像ファイルの画像から測位精度の低い画像ファイルの画像へ至る順序で並べて検索された画像ファイルの画像を表示するようにした。これにより、測位精度の高い画像を優先的に選択することができる。
【００２７】
（３）電子カメラ１の現在位置を検出するＧＰＳ機器２を備え、複数の画像ファイルの中から、ＧＰＳ機器２によって検出された現在位置とほぼ一致する測位データを有する画像ファイルを検索し、その検索された画像ファイルの中から所定の測位精度以上の画像ファイルを検索して、検索された画像ファイルの画像４１ａ〜４１ｄを表示モニタ１０４に表示するようにした。これにより、同じ場所に以前いたときに撮影した画像を参考にして、撮影を行ったり景色を眺めたりすることができる。また、表示された画像をきっかけとして同じ場所に以前いたときのことを思い出すことができる。
【００２８】
以上の第１の実施の形態を次のように変形することができる。
（１）以上の第１の実施の形態では、電子カメラ１の現在位置とほぼ一致する測位データを有する画像ファイルを検索し、その検索された画像ファイルの中から所定の測位精度以上の画像ファイルをさらに検索して、検索された画像ファイルの画像４１ａ〜４１ｄを表示モニタ１０４に表示するようにした。しかし、電子カメラ１の現在位置から所定距離内の測位データを有する画像ファイルを検索し、その検索された画像ファイルの中から所定の測位精度以上の画像ファイルをさらに検索して、検索された画像ファイルの画像を表示モニタ１０４に表示するようにしてもよい。これにより、現在位置周辺の測位精度の高い画像ファイルを必要とするとき便利である。たとえば、現在位置の周辺で、以前撮影したときと同じ場所で撮影を行いたい場合や、昔の景色と比べて今の景色がどの程度景色が変わったかを調べたい場合などに便利である。
【００２９】
（２）以上の第１の実施の形態では、測位精度の高い画像ファイルの画像から測位精度の低い画像ファイルの画像へ至る順序で画像ファイルの画像を並べて表示するようにした。しかし、現在位置から測位データの位置までの距離をＤＯＰ値、つまり測位精度表す値に乗算した値に応じて、画像ファイルの画像を並べる順序を決定し、画像ファイルの画像を並べて表示するようにしてもよい。これにより、測位精度と現在位置からの距離とを総合的に判断して画像を並べる順序を決定することができる。たとえば、いくら測位精度が高くても測位データが現在位置から離れている画像を選択したくないし、いくら測位データが現在位置に近くても測位精度が悪い画像を選択したくない場合などに便利である。なお、表示する画像ファイルの画像は、測位データの位置が電子カメラ１の現在位置とほぼ同じ位置の画像でもよいし、測位データの位置が電子カメラ１の現在位置から所定距離内である画像でもよい。また、所定の測位精度以上の測位精度の画像のみを表示するようにしてもよい。
【００３０】
図６のフローチャートを参照して、本発明の第１の実施の形態における画像ファイルの画像表示方法の変形例を説明する。図６の処理は、ユーザが操作ボタン１０３ｂ〜１０３ｇを操作して、ＤＯＰサムネイル表示の機能を選択するとスタートするプログラムにより制御回路１０１において実行される。
【００３１】
ステップＳ６０１では、ＧＰＳ機器２によって、現在位置を測位する。ステップＳ６０２では、現在位置を測位したときのＤＯＰ値をＧＰＳ機器２から取得する。ステップＳ６０３では、メモリカード１５０に記憶されている画像ファイルの中から測位データの位置が現在位置から所定距離内である画像ファイルを検索する。
【００３２】
ステップＳ６０４では、ステップＳ６０３で検索した画像ファイルの中からＧＰＳ機器２から取得したＤＯＰ値以下のＤＯＰ値の画像ファイルを検索する。ステップＳ６０５では、ステップＳ６０４で検索したそれぞれの画像ファイルについて、現在位置から測位データの位置までの距離にＤＯＰ値を乗算した値（Ｕ）を算出する。ステップＳ６０６では、検索した画像ファイルの画像の縮小画像を作成する。ステップＳ６０７では、Ｕ値の小さい画像ファイルの画像からのＵ値の大きい画像ファイルの画像へ至る順序で、画像ファイルの縮小画像を並べて表示する。
【００３３】
−第２の実施の形態−
以下、図を参照して本発明の第２の実施の形態による電子カメラを説明する。本発明の第２の実施の形態による電子カメラ１は、画像の大きさを変えて画像を表示モニタ１０４に表示する。画像の大きさの順位は画像ファイルのＤＯＰ値に基づいて決定される。また、画像は測位データの位置周辺の地図とともに表示される。第２の実施の形態の電子カメラ１の構成は、第１の実施の形態の電子カメラ１の構成と変わらないので、第２の実施の形態の電子カメラ１の構成の説明は省略する。
【００３４】
図７を参照して、本発明の第２の実施の形態における画像ファイルの画像表示方法を説明する。図７はメモリカード１５０に記憶された画像ファイルの画像を表示した表示モニタ１０４の表示画面を説明するための図である。図７に示すように、表示モニタ１０４には、地図５０ＡとともにＤＯＰ値が所定値以下である画像ファイルの画像４２ａ〜４２ｃが縮小画像として表示される。地図５０Ａは、電子カメラ１の現在位置５１の周辺地図である。
【００３５】
画像４２ａ〜４２ｃの画像ファイルにおける測位データの位置は、電子カメラ１の現在位置５１とほぼ同じ位置である。したがって、地図５０Ａは、画像４２ａ〜４２ｃの画像ファイルにおける測位データの位置周辺の地図でもある。また、画像４２ａ〜４２ｃの大きさは、ＤＯＰ値が小さいものから大きいものへ至る順序、つまり、測位精度の高いものから低いものへ至る順序で小さくなる。したがって、一番大きな画像４２ａの測位精度が最も高く（ＤＯＰ値が最も小さく）、一番小さな画像４２ｃの測位精度が一番悪い（ＤＯＰ値が大きい）。
【００３６】
図８のフローチャートを参照して、本発明の第２の実施の形態における画像ファイルの画像表示処理を説明する。図８の処理は、ユーザが操作ボタン１０３ｂ〜１０３ｇを操作して、ＤＯＰサムネイル表示の機能を選択するとスタートするプログラムにより制御回路１０１において実行される。図５の処理と共通する処理には共通の符号を付し、第５の処理と異なる部分を主に説明する。
【００３７】
ステップＳ５０４の次は、ステップＳ８０１へ進む。ステップＳ８０１では、ステップＳ５０４で検索した画像ファイルの縮小画像を、ＤＯＰ値の小さいものから大きいものへ至る順序で大きさを徐々に小さくして作成する。ステップＳ８０２では、現在位置周辺の地図を所定の縮尺で表示モニタ１０４に表示する。ステップＳ８０３では、画像同士が重ならないようにして、ＤＯＰ値が大きくなるにしたがって現在位置から離して縮小画像を表示する。
【００３８】
以上説明した第２の実施の形態によれば、第１の実施の形態の作用効果の他に次の作用効果が得られる。
（１）測位精度の高い画像ファイルの画像４２ａ（４２ｂ）を測位精度の低い画像ファイルの画像４２ｂ（４２ｃ）に比べて大きく表示するようにした。これにより、測位精度の高い画像を優先的に選択することができる。
【００３９】
（２）画像ファイルにおける測位データの位置周辺の地図とともに画像ファイルの画像を表示するようにした。これにより、画像ファイルの画像を撮影した位置などを地図上で確認することができ、便利である。
【００４０】
（３）所定の測位精度以上の画像ファイルを検索し、検索された画像ファイルの画像を表示モニタ１０４に表示するようにした。これにより、実際は地図の表示範囲から外れた位置で撮影された画像であるにもかかわらず、測位精度が悪いため地図の表示範囲内で撮影されたように表示されるのを防止することができる。
【００４１】
以上の第２の実施の形態を次のように変形することができる。
（１）以上の第２の実施の形態では、電子カメラ１の現在位置とほぼ一致する測位データを有する画像ファイルの画像を地図上に表示した。しかし、電子カメラ１の現在位置から所定距離内の測位データを有する画像ファイルの画像を表示するようにしてもよい。たとえば、図９に示すように画像４３ａ〜４３ｃを表示するようにしてもよい。ここで、画像４３ａの測位データの位置は符号４４ａであり、画像４３ｂの測位データの位置は符号４４ｂであり、画像４３ｃの測位データの位置は符号４４ｃである。これらの測位データの位置４４ａ〜４４ｃは電子カメラ１の現在位置５１から所定距離内５２である。
【００４２】
図１０のフローチャートを参照して、本発明の第２の実施の形態における画像ファイルの画像表示処理の変形例を説明する。図１０の処理は、ユーザが操作ボタン１０３ｂ〜１０３ｇを操作して、ＤＯＰサムネイル表示の機能を選択するとスタートするプログラムにより制御回路１０１において実行される。図６の処理と共通する処理には共通の符号を付し、図６の処理と異なる部分を主に説明する。
【００４３】
ステップＳ６０４の次は、ステップＳ１００１へ進む。ステップＳ１００１では、ステップＳ６０４で検索した画像ファイルの縮小画像をＤＯＰ値の小さいものから大きいものへ至る順序で大きさを徐々に小さくして作成する。ステップＳ１００２では、現在位置周辺の地図を所定の縮尺で表示モニタ１０４に表示する。ステップＳ１００３では、測位データの位置付近に縮小画像を表示する。
【００４４】
（２）地図とともに表示モニタ１０４に表示する複数の画像の大きさは第１の実施の形態に限定されない。たとえば、地図とともに表示する複数の画像の大きさを全て同じにするようにしてもよい。この場合も画像ファイルの画像を撮影した位置などを地図上で確認することができ、便利である。また、ＤＯＰ値に対応する画像の大きさを予め決めておき、ＤＯＰ値に応じて表示する画像の大きさを変えるようにしてもよい。画像の大きさを見ただけで測位精度を認識することができ、便利である。
【００４５】
−第３の実施の形態−
以下、図を参照して本発明の第３の実施の形態による電子カメラを説明する。本発明の第３の実施の形態による電子カメラ１は、表示モニタ１０４に表示される地図の縮尺によって、表示モニタ１０４に表示する画像ファイルを検索する基準となるＤＯＰ値を決定する。第３の実施の形態の電子カメラ１の構成は、第１の実施の形態の電子カメラ１の構成と変わらないので、第３の実施の形態の電子カメラ１の構成の説明は省略する。
【００４６】
図１１を参照して、本発明の第３の実施の形態における画像ファイルの画像表示方法を説明する。図１１はメモリカード１５０に記憶された画像ファイルの画像を表示した表示モニタ１０４の表示画面を説明するための図である。図１１（ａ）は所定の縮尺の地図の上に画像を表示した表示画面を説明するための図であり、図１１（ｂ）は、１１（ａ）の地図に比べて地図の縮尺を詳細側に変更したときの地図の上に画像を表示した表示画面を説明するための図である。
【００４７】
図１１（ａ）に示すように、表示モニタ１０４には、地図５０ＡとともにＤＯＰ値が所定値以下である画像ファイルの画像４３ａ〜４３ｃが縮小画像として表示される。ここで、画像４３ａ〜４３ｃの大きさは、ＤＯＰ値が小さいものから大きいものへ至る順序で徐々に小さくなっている。
【００４８】
図１１（ｂ）に示すように、地図の縮尺が詳細側に変更されると、画像ファイルの画像を表示するか否かの規準となるＤＯＰ値が、所定値から小さい値に変わる。その結果、画像４３ａおよび画像４３ｂのみが表示され、測位精度の悪い画像４３ｃは表示されなくなる。表示モニタ１０４に表示される地図の縮尺が詳細側にいく程、画像ファイルの画像を表示する規準となるＤＯＰ値は小さくなり、表示モニタ１０４に表示される地図の縮尺が広域側にいく程、画像ファイルの画像を表示する規準となるＤＯＰ値は大きくなる。
【００４９】
図１２のフローチャートを参照して、本発明の第３の実施の形態における画像ファイルの画像表示処理を説明する。図１２の処理は、ユーザが操作ボタン１０３ｂ〜１０３ｇを操作して、ＤＯＰサムネイル表示の機能を選択するとスタートするプログラムにより制御回路１０１において実行される。図１０の処理と共通する処理には共通の符号を付し、図１０の処理と異なる部分を主に説明する。ここで、ユーザは、操作ボタン１０３ｂ〜１０３ｇの操作によって表示モニタ１０４に表示される地図の縮尺を設定できるものとして説明する。これにより、ユーザは、地図の縮尺を変更することができる。
【００５０】
ステップＳ６０１の次は、ステップＳ１２０１へ進む。ステップＳ１２０１では、電子カメラ１に設定された地図の縮尺を検出する。ステップＳ１２０２では、地図の縮尺より基準ＤＯＰ値を決定する。ここで、地図の縮尺が詳細側である程、基準ＤＯＰ値は小さくなり、地図の縮尺が広域側である程、基準ＤＯＰ値は大きくなる。そして、ステップＳ６０３へ進み、ステップＳ１２０３へ進む。
【００５１】
ステップＳ１２０３では、基準ＤＯＰ値以下のＤＯＰ値の画像ファイルを検索する。そして、ステップＳ１００１へ進み、ステップＳ１２０４へ進む。ステップＳ１２０４では、設定された縮尺で地図を表示モニタ１０４に表示する。そして、ステップＳ１００３へ進み、ステップＳ１２０５へ進む。ステップＳ１２０５では、ユーザの操作ボタン１０３ｂ〜１０３ｇの操作によりＤＯＰサムネイル表示を終了したか否かを判定する。ＤＯＰサムネイル表示を終了した場合はステップＳ１２０５が肯定判定され、画像表示処理を終了する。ＤＯＰサムネイル表示を終了していない場合はステップＳ１２０５が否定判定され、ステップＳ５０１に戻る。
【００５２】
以上説明した第３の実施の形態によれば、第１の実施の形態の作用効果の他に次の作用効果が得られる。
地図の縮尺が変更されると、変更された地図の縮尺に基づいて画像表示可否の判断基準となる基準ＤＯＰ値を変更し、画像ファイルのＤＯＰ値が、変更された基準ＤＯＰ値以下である画像を、縮尺が変更された地図とともに表示するようにした。これにより、地図の縮尺が詳細側に変更され、地図の表示範囲は狭くなったことが原因で、実際は地図の表示範囲から外れた位置で撮影された画像であるにもかかわらず、地図の表示範囲内で撮影されたように表示されるのを防止することができる。
【００５３】
以上の第３の実施の形態を次のように変形することができる。
地図とともに表示する複数の画像の大きさは第３の実施の形態に限定されない。たとえば、地図とともに表示する複数の画像の大きさを全て同じにするようにしてもよい。また、ＤＯＰ値に対応する画像の大きさを予め決めておき、ＤＯＰ値に応じて表示する画像の大きさを変えるようにしてもよい。
【００５４】
−第４の実施の形態−
以下、図を参照して本発明の第４の実施の形態による電子カメラを説明する。本発明の第４の実施の形態による電子カメラ１は、表示する画像ファイルを検索する基準となるＤＯＰ値をユーザが設定できる。第４の実施の形態の電子カメラ１の構成は、第１の実施の形態の電子カメラ１の構成と変わらないので、第４の実施の形態の電子カメラ１の構成の説明は省略する。
【００５５】
図１３を参照して、本発明の第４の実施の形態における画像ファイルの画像表示方法を説明する。図１３は、メモリカード１５０に記憶された画像ファイルの画像を所定の地図の上に表示した表示モニタ１０４の表示画面を説明するための図である。表示画面には、地図５０Ｂと、画像４３ａ〜４３ｃとともに、ユーザが操作ボタン１０３ｂ〜１０３ｇを操作して入力したＤＯＰ値を示す基準ＤＯＰ値表示欄６０が表示される。基準ＤＯＰ値表示欄６０には、ＤＯＰ値の目盛と、目盛上を移動する逆三角形のマーク６１とが表示される。ユーザが入力したＤＯＰ値の目盛上にマーク６１が移動する。これにより、ユーザは、自分が入力したＤＯＰ値を確認することができる。画像４３ａ〜４３ｃの大きさは、ＤＯＰ値が小さいものから大きいものへ至る順序で徐々に小さくなっている。
【００５６】
図１３（ａ）は、ユーザがＤＯＰ値として「３」を入力したときの表示画面である。表示画面には、画像ファイルのＤＯＰ値が３以下である画像４３ａ，４３ｂが表示される。図１３（ｂ）は、ユーザがＤＯＰ値として「７」を入力したときの表示画面である。表示画面には、画像ファイルのＤＯＰ値が３以下である画像４３ａ，４３ｂのほかに、ＤＯＰ値が３より大きく７以下の値である画像４３ｃも表示される。
【００５７】
図１４のフローチャートを参照して、本発明の第４の実施の形態における画像ファイルの画像表示処理を説明する。図１４の処理は、ユーザが操作ボタン１０３ｂ〜１０３ｇを操作して、ＤＯＰサムネイル表示の機能を選択するとスタートするプログラムにより制御回路１０１において実行される。図１２の処理と共通する処理には共通の符号を付し、図１２の処理と異なる部分を主に説明する。
【００５８】
ステップＳ１４０１では、基準ＤＯＰ値を２とする。そして、ステップＳ６０１、ステップＳ６０３と進む。ステップＳ１００３の次はステップＳ１４０２へ進む。ステップＳ１４０２では、ユーザが操作ボタン１０３ｂ〜１０３ｇを操作してＤＯＰ値を入力し、基準ＤＯＰ値が変更されたか否かを判定する。基準ＤＯＰ値が変更された場合はステップＳ１４０２が肯定判定され、ステップＳ１４０３へ進む。基準ＤＯＰ値が変更されていない場合はステップＳ１４０２が否定判定され、ステップＳ１２０５へ進む。ステップＳ１４０３では、基準ＤＯＰ値をユーザが入力したＤＯＰ値に変更する。そして、ステップＳ６０１に戻る。
【００５９】
以上説明した第４の実施の形態によれば、第１の実施の形態の作用効果の他に次の作用効果が得られる。
ユーザによって入力された測位精度以上の画像ファイルを検索し、検索された画像ファイルの画像を表示するようにした。これにより、ユーザが希望する測位精度の画像ファイルの画像を表示モニタ１０４に表示でき、便利である。
【００６０】
以上の第４の実施の形態を次のように変形することができる。
地図とともに表示する複数の縮小画像の大きさは第３の実施の形態に限定されない。たとえば、地図とともに表示する複数の縮小画像の大きさを全て同じにするようにしてもよい。また、ＤＯＰ値に対応する画像の大きさを予め決めておき、ＤＯＰ値に応じて表示する画像の大きさを変えるようにしてもよい。
【００６１】
−第５の実施の形態−
以下、図を参照して本発明の第５の実施の形態による電子カメラを説明する。本発明の第５の実施の形態による電子カメラ１では、表示モニタ１０４に並べて表示されている複数の画像の中から１つの画像がユーザによって選択されると、選択された画像の測位データの位置周辺の地図が表示モニタ１０４に表示される。また、その地図の上に選択された画像が表示される。第５の実施の形態の電子カメラ１の構成は、第１の実施の形態の電子カメラ１の構成と変わらないので、第５の実施の形態の電子カメラ１の構成の説明は省略する。
【００６２】
図１５および図１６を参照して、本発明の第５の実施の形態における画像ファイルの画像表示方法を説明する。図１５（ａ）および図１６（ａ）は、ＤＯＰ値が所定値以下である画像ファイルの画像４１ａ〜４１ｄが縮小画像として並べて表示されている表示画面を説明するための図である。図１５（ａ）では、複数の画像４５ａ〜４５ｄの中で画像４５ａがユーザによって選択され、図１６（ａ）では、複数の画像４５ａ〜４５ｄの中から画像４５ｃがユーザによって選択されている。画像の選択は、ユーザが操作ボタン１０３ｂ〜１０３ｇを操作することによって行える。
【００６３】
図１５（ｂ）は、図１５（ａ）で画像４５ａが選択された後に表示される表示画面を説明するための図である。表示画面には、選択された画像４５ａの測位位置４６ａ周辺の地図５０Ｂと選択された画像４５ａとが表示される。地図５０Ｂの縮尺は、画像４５ａの測位データの測位精度に基づいて決定される。測位精度が高いとき、つまりＤＯＰ値が小さいときは詳細地図が表示され、測位精度が悪いとき、つまりＤＯＰ値が大きいときは広域地図が表示される。
【００６４】
図１６（ｂ）は、図１６（ａ）で画像４５ｃが選択された後に表示される表示画面を説明するための図である。表示画面には、選択された画像４５ｃの測位位置４６ｃ周辺の地図５０Ａと選択された画像４５ｃとが表示される。画像４５ｃは、画像４５ａに比べて測位精度が悪いので、地図５０Ａの縮尺は、地図５０Ｂに比べて広域側である。なお、地図５０Ａ，５０Ｂともに表示される画像４５ａ，４５ｃの大きさは同じである。
【００６５】
図１７のフローチャートを参照して、本発明の第５の実施の形態における画像ファイルの画像表示処理を説明する。図１７の処理は、ユーザが操作ボタン１０３ｂ〜１０３ｇを操作して、ＤＯＰサムネイル表示の機能を選択するとスタートするプログラムにより制御回路１０１において実行される。ここで、ユーザは、操作ボタン１０３ｂ〜１０３ｇの操作によって表示モニタ１０４に並べて表示されている画像の中から所望の画像を選択できるものとして説明する。
【００６６】
ステップＳ１７０１では、メモリカード１５０に記憶されている画像ファイルから縮小画像を作成する。ステップＳ１７０２では、縮小画像を並べて表示モニタ１０４に表示する。ステップＳ１７０３では、縮小画像が選択されたか否かを判定する。縮小画像が選択された場合はステップＳ１７０３が肯定判定され、ステップＳ１７０４へ進む。縮小画像が選択されない場合はステップＳ１７０３を繰り返す。
【００６７】
ステップＳ１７０４では、選択された縮小画像の測位データの位置およびＤＯＰ値を検出する。ステップＳ１７０５では、検出したＤＯＰ値に基づいて地図の縮尺を決定する。上述したようにＤＯＰ値が小さいときは地図の縮尺を詳細側にし、ＤＯＰ値が大きいときは地図の縮尺を広域側にする。ステップＳ１７０６では、決定した縮尺で測位データの位置周辺の地図を表示する。ステップＳ１７０７では、ステップＳ１７０３で選択された縮小画像を地図上に表示する。
【００６８】
ステップＳ１７０８では、ユーザの操作ボタン１０３ｂ〜１０３ｇの操作により前の画面に戻る操作が行われたか否かを判定する。前の画面に戻る操作が行われた場合はステップＳ１７０８が肯定判定され、ステップＳ１７０２に戻る。前の画面に戻る操作が行われない場合はステップＳ１７０８が否定判定され、ステップＳ１７０９へ進む。ステップＳ１７０９では、ユーザの操作ボタン１０３ｂ〜１０３ｇの操作によりＤＯＰサムネイル表示を終了したか否かを判定する。ＤＯＰサムネイル表示を終了した場合はステップＳ１７０９が肯定判定され、処理を終了する。ＤＯＰサムネイル表示を終了していない場合はステップＳ１７０９が否定判定され、ステップＳ１７０８に戻る。
【００６９】
以上説明した第５の実施の形態によれば、第１の実施の形態の作用効果の他に次の作用効果が得られる。
（１）表示モニタ１０４に並べて表示された画像の中から１つの画像が選択されると、選択された画像の画像ファイルにおける測位データの位置周辺の地図を表示するようにした。これにより、画像ファイルの画像を撮影した位置などを地図上で確認することができ、便利である。
【００７０】
（２）表示モニタ１０４に並べて表示された画像の中から１つの画像が選択されると表示される地図の縮尺を、選択された画像の画像ファイルにおける測位精度に基づいて決定するようにした。これにより、実際は地図の表示範囲から外れた位置で撮影された画像であるにもかかわらず、測位精度が悪いため地図の表示範囲内で撮影されたように表示されるのを防止することができる。
【００７１】
以上の第５の実施の形態を次のように変形することができる。
（１）ユーザに選択させるために画像を並べて表示モニタ１０４に表示するとき、所定の測位精度以上の画像ファイルの画像を表示するようにしてもよい。測位精度が著しく悪い画像を地図とともに表示した場合、測位精度に基づいて決定される地図の縮尺は著しく広域側になると思われるので、測位データの位置が地図から見てよくわからないからである。
【００７２】
（２）並べて表示されている画像をユーザが選択すると、地図とともに選択された画像を表示するようにした。しかし、地図のみを表示するようにしてもよい。この場合も、画像ファイルの画像を撮影した位置などを地図上で確認することができる。
【００７３】
（３）ＤＯＰ値に対応する画像の大きさを予め決めておき、地図とともに表示される画像の大きさをＤＯＰ値に応じて変えるようにしてもよい。画像の大きさを見ただけで測位精度を認識することができるので便利である。また、画像ファイルの測位精度に基づいて並べる順序を決定して画像を並べて表示し、その順序で、地図とともに表示する画像の大きさを決定するようにしてもよい。
【００７４】
−変形例−
（１）以上の第２〜５の実施の形態では、地図の上に画像を表示した。しかし、図１８（ａ）に示すようにレーダーチャート７０に重ねて画像４７ａ〜４７ｅを表示するようにしてもよい。ここで、レーダーチャート７０の中心７１に近い画像ほどＤＯＰ値が小さい画像であり、中心７１から離れている画像ほどＤＯＰ値が大きい画像である。画像４７ａ〜４７ｅの測位精度が視覚的に把握でき、便利である。なお、ＤＯＰ値の順序に応じて、またはＤＯＰ値に応じて画像４７ａ〜４７ｅの大きさを変えるようにしてもよい。
【００７５】
また、測位データの位置が電子カメラ１の現在位置８１から所定距離内である画像を、大きさを変えて表示するとき、図１８（ｂ）に示すように、電子カメラ１の現在位置８１を表示して、地図を表示しないようにしてもよい。この場合も、測位データの位置が電子カメラ１の現在位置８１に近い画像および遠い画像を判断することができる。
【００７６】
（２）以上の実施の形態では、ＧＰＳ機器２が現在位置を測位したときのＤＯＰ値を、画像ファイルを検索するときの基準となるＤＯＰ値とした。しかし、画像ファイルを検索するときの基準となるＤＯＰ値は、実際に撮影した地点から著しく離れた地点を撮影した地点であると誤って認識させるような測位精度のＤＯＰ値より大きな値であれば、実施の形態に限定されない。
【００７７】
（３）測位精度を表すことができる数値であれば、画像表示の可否を決定するための数値はＤＯＰ値に限定されない。
【００７８】
（４）以上の実施の形態では、電子カメラ１のＧＰＳ機器２を取り付けたが、電子カメラ１にＧＰＳ機器２を内蔵するようにしてもよい。
【００７９】
（５）本発明は、画像表示装置であれば表示モニタ１０４を備えた電子カメラ１に限定されない。たとえば、ＧＰＳ機能を備えた携帯電話でもよい。
【００８０】
以上の実施の形態と変形例の一つ、もしくは複数を組み合わせることも可能である。変形例同士をどのように組み合わせることも可能である。
【００８１】
以上の説明はあくまで一例であり、本発明は上記実施の形態の構成に何ら限定されるものではない。
【図面の簡単な説明】
【００８２】
【図１】本発明の第１の実施の形態における電子カメラの外観図である。
【図２】本発明の第１の実施の形態における電子カメラの構成を説明するブロック図である。
【図３】画像ファイルの構造を説明するための図である。
【図４】本発明の第１の実施の形態における画像ファイルの画像表示方法を説明するための図である。
【図５】本発明の第１の実施の形態における画像ファイルの画像表示処理を説明するためのフローチャートである。
【図６】本発明の第１の実施の形態における画像ファイルの画像表示方法の変形例を説明するためのフローチャートである。
【図７】本発明の第２の実施の形態における画像ファイルの画像表示方法を説明するための図である。
【図８】本発明の第２の実施の形態における画像ファイルの画像表示処理を説明するためのフローチャートである。
【図９】本発明の第２の実施の形態における画像ファイルの画像表示方法の変形例を説明するための図である。
【図１０】本発明の第２の実施の形態における画像ファイルの画像表示処理の変形例を説明するためのフローチャートである。
【図１１】本発明の第３の実施の形態における画像ファイルの画像表示方法を説明するための図である。
【図１２】本発明の第３の実施の形態における画像ファイルの画像表示処理を説明するフローチャートである。
【図１３】本発明の第４の実施の形態における画像ファイルの画像表示方法を説明するための図である。
【図１４】本発明の第４の実施の形態における画像ファイルの画像表示処理を説明するためのフローチャートである。
【図１５】本発明の第５の実施の形態における画像ファイルの画像表示方法を説明するための図である。
【図１６】本発明の第５の実施の形態における画像ファイルの画像表示方法を説明するための図である。
【図１７】本発明の第５の実施の形態における画像ファイルの画像表示処理を説明するためのフローチャートである。
【図１８】本発明の実施の形態における画像ファイルの画像表示方法の変形例を説明するための図である。
【符号の説明】
【００８３】
１  電子カメラ
２  ＧＳＰ機器
４１ａ〜４１ｄ，４２ａ〜４２ｃ，４３ａ〜４３ｃ，４５ａ〜４５ｄ  画像
４７ａ〜４７ｅ，４８ａ〜４８ｅ  画像
４４ａ〜４４ｃ，４３ａ〜４３ｃ，４６ａ，４６ｃ  測位データの位置
５０Ａ，５０Ｂ  地図
５１  電子カメラの現在位置
１０４  表示モニタ
【図１】
2010021934.tif 000003
【図２】
2010021934.tif 000004
【図３】
2010021934.tif 000005
【図４】
2010021934.tif 000006
【図５】
2010021934.tif 000007
【図６】
2010021934.tif 000008
【図７】
2010021934.tif 000009
【図８】
2010021934.tif 000010
【図９】
2010021934.tif 000011
【図１０】
2010021934.tif 000012
【図１１】
2010021934.tif 000013
【図１２】
2010021934.tif 000014
【図１３】
2010021934.tif 000015
【図１４】
2010021934.tif 000016
【図１５】
2010021934.tif 000017
【図１６】
2010021934.tif 000018
【図１７】
2010021934.tif 000019
【図１８】
2010021934.tif 000020